(57)【要約】      （修正有）【課題】マイナスイオンを効果的に発生すると共に、人体に必須のミネラルの供給にも寄与するアクセサリーを提供することを課題とする。【解決手段】岩塩を切削加工してなる玉(1)を１個又は複数個備えたブレスレットとした。岩塩の玉(1)はブレスレットを構成する他の玉(2)よりも大きく、岩塩の玉(1)にラインを通すために設けられた貫通孔は岩塩の玉(1)の中心からずれた位置に設けられている。【選択図】図１
0003115648.tif 000002
【実用新案登録請求の範囲】
【請求項１】
岩塩を切削加工してなる玉を１個又は複数個備えたブレスレットとしたことを特徴とするアクセサリー。
【請求項２】
前記岩塩の玉はブレスレットを構成する他の玉よりも大きく、前記岩塩の玉にラインを通すために設けられた貫通孔は該岩塩の玉の中心からずれた位置に設けられていることを特徴とする請求項１記載のアクセサリー。
【請求項３】
岩塩を切削加工してなる玉を１個又は複数個備えたネックレスとしたことを特徴とするアクセサリー。
【考案の詳細な説明】
【技術分野】
【０００１】
本考案は、岩塩を用いたアクセサリーに関するものである。
【背景技術】
【０００２】
近年、家庭や職場におけるプラスイオンが問題視されることが多くなってきた。電磁波の発生をともなうテレビ、ラジオ、コンピューター、エアコン等の電気機器の使用により室内のプラスイオンは、自然界におけるよりも過剰となっている。そして、一説には、このプラスイオンの過剰が、イライラ，疲れ，ストレスなどの原因ではないかと言われている。
【０００３】
このようなプラスイオンによる弊害を解消するものとしてマイナスイオンが注目されている。マイナスイオンは滝などの水しぶきが多い場所に多く発生し、周囲の空気を浄化していることで知られていたが、昨今ではその空気浄化効果や防臭・消臭効果、更には鮮度保持効果等に注目され、人工的にマイナスイオンを発生させる空気清浄機や家電などが普及してきた。
【０００４】
しかしながら空気清浄機等は大きく、普段から持ち歩けるようなものではない。そこで、普段から身につけることができ、しかもマイナスイオンを発生できる物が求められていた。そのような要求に対して種々の提案があり、例えば特開平１１−５７０２４号にはマイナスイオンを発生させるマイナスイオンパッドを設けたブレスレットについてが記載されている。この公報を読む限りではマイナスイオンを発生する自然石を粉砕して得られた微粒子を用いてペースト状のインクを作り、これを樹脂材からなる板状体に塗布してマイナスイオンパッドを形成し、それをブレスレットに装着しているようである。
【０００５】
しかしながら、制作に際して「自然石の粉砕」「ペースト状のインク制作」，「板状体に塗布」，「ブレスレットに装着」等の煩雑な手間がかかる。しかも、薄い板状体に粉体を含有するインクを塗布しているだけなので、使用される自然石はごく僅かであり、発生するマイナスイオンの量もあまり期待できない。更に、マイナスイオン以外に健康に寄与する効果はない。
【０００６】
【特許文献１】特開平１１−５７０２４号公報
【考案の開示】
【考案が解決しようとする課題】
【０００７】
そこで本考案はマイナスイオンを効果的に発生すると共に、人体に必須のミネラルの供給にも寄与するアクセサリーを提供することを課題とする。
【課題を解決するための手段】
【０００８】
請求項１記載のアクセサリーは、岩塩を切削加工してなる玉(1)を１個又は複数個備えたブレスレットとしたことを特徴とする。
【０００９】
これによれば、ブレスレットを構成する岩塩の玉(1)からマイナスイオンとバランスの良いミネラルが放出される。マイナスイオンやミネラルの一部は体内に吸引，吸収され、体調の改善に寄与する。
【００１０】
請求項２記載のアクセサリーは請求項１のアクセサリーにおいて、前記岩塩の玉(1)はブレスレットを構成する他の玉(2)よりも大きく、前記岩塩の玉(1)にラインを通すために設けられた貫通孔(10)は該岩塩の玉(1)の中心(11)からずれた位置に設けられていることを特徴とする。
【００１１】
これによれば、ブレスレットを構成する他の玉(2)よりも径の大きな岩塩の玉(1)を使用した場合でも、岩塩の玉(1)の両側に位置する玉(2)がラインによって引っ張られて浮き上がることがなく、フィット感が向上する。又、各玉を繋ぐラインに必要以上の力がかからず、ラインの破損を防止することができる。
【００１２】
請求項３記載のアクセサリーは、岩塩を切削加工してなる玉を１個又は複数個備えたネックレスとしたことを特徴とする。
【００１３】
これによれば、ネックレスを構成する岩塩の玉からマイナスイオンとバランスの良いミネラルが放出される。マイナスイオンやミネラルの一部は体内に吸引，吸収され、体調の改善に寄与する。ネックレスは首に装着するため、鼻に近い位置でマイナスイオンやミネラルが放出されることとなり、呼吸により吸引されやすい。
【考案の効果】
【００１４】
常に身につけておけるブレスレットやネックレスのようなアクセサリーに備えられた岩塩からマイナスイオンを発生させることができると共に、岩塩中のミネラルを摂取することができる。
【考案を実施するための最良の形態】
【００１５】
以下、本考案を好適な実施例を用いて説明する。
【実施例１】
【００１６】
図１は本実施例のブレスレットの一例を示した図である。図中において(1)は岩塩からなる玉である。本実施例では岩塩として天然のヒマラヤ産の岩塩を使用した。ちなみにヒマラヤは地殻変動により海底であった場所が隆起して山になったとされ、良質な岩塩の産地となっている。
【００１７】
使用したヒマラヤ産の岩塩に含まれる成分や含有率は、岩塩を切り出す地層によって異なるが、塩素、ナトリウム、硫黄、カルシウム、マグネシウム、カリウム、鉄、銅、ケイ素、亜鉛などが含まれている。
【００１８】
同じ産地の岩塩であっても地層により成分が異なるため、硬さ，脆さが異なる。ブレスレットに使う玉とするためには、切り出した岩塩を切削して球状，鶏卵状，楕円球状などの玉に加工するが、その際に柔らかく脆い岩塩では加工中に崩れてしまう。そこで、岩塩の層の中で最も堅い層の岩塩を用いて加工した。
【００１９】
岩塩は成分により色が異なるが、本実施例で用いた岩塩は淡いピンク色であり、意匠的に美しく、アクセサリーとして用いるのにも適している。
【００２０】
尚、加工する際に岩塩を板状又はブロック状とすることも可能ではあるが、そうするとブレスレットに使用した場合、その板状又はブロック状の岩塩の平面部分が皮膚に密着することとなる。岩塩も塩に変わりはないので多くの水分に触れると溶けてしまう。そのため平面で皮膚と密着していると接触面積の増加や接触部の通気の悪さなどにより汗により岩塩が溶けやすくなってしまう。
【００２１】
岩塩が溶けすぎると、岩塩が変形してアクセサリーとしての寿命が短くなってしまうだけでなく、大量に溶け出た塩分により皮膚がべたつくおそれがある。そこで、本実施例では球状，鶏卵状，楕円球状などの曲面を有した玉に加工し、皮膚と接触する面積を少なくすると共に、皮膚との間の通気も確保した。これにより、必要以上に岩塩が溶けてしまうことを防止することができる。
【００２２】
図中において(2)は岩塩以外からなる玉(2)である。本実施例では岩塩の玉(1)より径が小さい玉を用いた。材質としては特に限定されるものではなく、宝石，真珠，鉱物，合成樹脂，セラミック，シリコン樹脂，ゴム，木質材などが利用できる。本実施例では意匠性を高めるために色の異なる複数種の石を研磨して制作した玉を用いた。岩塩の玉(1)や他の玉(2)にはラインを通すための貫通孔が設けられている。
【００２３】
(3)は玉(2)相互間に配したリングであり、デザイン上の理由と、玉(2)の位置的な安定と、玉(2)同士の接触による傷を抑制するという効果を期待して配しているが、必須ではない。尚、このリング(3)の材質も玉(2)と同様に適宜定めればよい。
【００２４】
又、岩塩の玉(1)と他の玉(2)との間には，小さく透明なリング(4)を配している。これは岩塩の玉(1)と他の玉(2)との接触を抑制して、岩塩の玉(1)を保護するために設けているが、リング(3)よりも小さく透明であるので岩塩の玉(1)との接触面積も小さく、デザイン上、岩塩の玉(1)の邪魔にならない。
【００２５】
これらの岩塩の玉(1)，他の玉(2)，リング(3)，小さなリング(4)をラインで連ねることによりブレスレットが形成されている。ラインとしては釣り用の合成樹脂製テグスを利用したが、他の素材からなる糸やワイヤー，ゴム紐などを利用しても良い。
【００２６】
本実施例では岩塩の玉(1)は他の玉より径が大きい。仮に岩塩の玉(1)の中心にラインを通す貫通孔を設けると、装着した際に岩塩の玉(1)の両側でラインが外側に引っ張られることになる。そうなれば、岩塩の玉(1)の両隣に位置する玉(2)が装着した腕から浮き上がってしまい、岩塩の玉(1)も内側に引っ張られることになる。それではブレスレット装着時のフィット感を損なうとともに、ラインにも必要以上の力がかかってラインの破損を招くおそれがある。
【００２７】
そこで、本実施例においては図２に示すように岩塩の玉(1)についてはその中心(11)からずれた位置に貫通孔(10)を設けた。このようにすることにより、ブレスレットを装着した際に岩塩の玉(1)の箇所でのみラインが浮き上がることはなく、フィット感が向上し、ライン切れを抑制することができる。
【００２８】
尚、本実施例では岩塩の玉(1)は１つだけ使用したが、２個又は３個以上の岩塩の玉(1)を使っても良い。
【００２９】
岩塩は空気中の水分と結合してマイナスイオンを発生するが、このブレスレットを腕に装着すると体温によって岩塩の玉(1)の表面温度が周りの空気中の温度よりも高くなり、マイナスイオンの発生が促進され、周囲環境の浄化などに寄与する。
【００３０】
しかも岩塩を用いたアクセサリーの効果は、マイナスイオンによる効果だけではない。岩塩は海水に由来するものであり、ミネラルがバランス良く豊富に含まれている。このような岩塩のミネラルが人間の身体に良いことは古くから経験的に知られている。
【００３１】
例えば、ヨーロッパでは岩塩の洞窟を利用したサナトリウム（療養所）に、喘息やリウマチ，皮膚病，アレルギーなどの患者を滞在させる長期療養が有名である。これは岩塩の成分であるミネラルを含んだ空気を呼吸により体内に取り込ませることや皮膚に触れさせることにより、これらの症状を治癒又は軽減させる療法である。化学，医学が進歩しても、そのメカニズムは完全に解明されてはいないが、このように岩塩に含まれるミネラルに病気に対する免疫力の向上などの効果があることが知られている。
【００３２】
本実施例のブレスレットを装着していると汗によって僅かに溶けた岩塩から出てくるミネラルを吸引することができる。又、僅かではあるが、岩塩の球(1)と接触している周囲の皮膚からミネラルが吸収される可能性もあり、ミネラルによる免疫力の向上などの効果を期待できる。
【実施例２】
【００３３】
実施例１は岩塩の玉をブレスレットに使用した例であったが、本実施例（図示せず）は岩塩の玉をネックレスとして使用した例である。
【００３４】
ブレスレットに比べて長いことを除けば、同様な構成である。長いので使用する岩塩の玉の数を増やすことが容易となる。又、ネックレスは首にかけるため、岩塩の玉は胸元又は首の近くに位置することなる。そのため、呼吸する際にマイナスイオンやミネラルを含んだ空気を吸い込みやすくなる。
【産業上の利用可能性】
【００３５】
本考案のブレスレット及びネックレスはファッション用のアクセサリーとして利用できるのはもちろんであるが、玉の数を所定の数にすることにより数珠，念珠などとしても利用することができる。又、極度に塩分などが不足した非常時には、使用する岩塩の種類にもよるが、岩塩の玉を舐めることにより塩分やミネラル分を緊急的に補給することも可能である。
【図面の簡単な説明】
【００３６】
【図１】実施例１のブレスレットを示した図。
【図２】実施例１に用いた岩塩の玉を示した図。
【符号の説明】
【００３７】
１  岩塩の玉
２  石などの玉
３  リング
４  岩塩の玉に隣接する小さなリング
１０  岩塩の玉に設けた貫通孔
１１  岩塩の玉の中心
【図１】
0003115648.tif 000003
【図２】
0003115648.tif 000004